(57)【要約】【課題】電話通信サービスを提供するオペレータを識別するためのシステムを提案する。【解決手段】本発明は、ユーザの端末のメモリ内に記憶された少なくとも１つの呼び出し番号のオペレータを識別するためのシステムに関係し、システムは、ユーザ端末と、ユーザ端末に統合されると共に、呼び出し番号のオペレータを識別するための識別要求を送信する少なくとも１つの装置、及び識別要求に対する応答を受信する少なくとも１つの装置を管理するＳＩＭツールキットアプリケーションまたはソフトウェアと、呼び出し番号のオペレータの識別を管理する識別管理プラットフォームと、システムの異なる構成要素の間の通信ネットワークとを備え、識別管理プラットフォームが、要求を受信するインタフェースと、応答を送信するインタフェースと、ＣＲＭＤ装置に連結された、ＣＲＭＤ装置の優先されたインタフェースである識別サーバとを有することを特徴とする。【選択図】図１
2008306721.tif 000002
【特許請求の範囲】
【請求項１】
ユーザの端末（１）において記憶された少なくとも１つの呼び出し番号に対する少なくとも１つの電話通信サービスを提供するオペレータまたはインターネットアクセスプロバイダを識別するためのシステムであって、
前記システムが、
端末（１）に統合された少なくとも１つのメモリ手段（１ａ、１ｂ）、もしくは端末（１）に接続された少なくとも１つのメモリ手段（１ｃ）を有すると共に、ユーザの呼の呼び出し番号のディレクトリを有する少なくとも１つのユーザ端末（１）と、
前記ユーザ端末（１）に統合されると共に、少なくとも１つの呼び出し番号のオペレータまたはインターネットアクセスプロバイダを識別するための識別要求を送信する少なくとも１つの装置、及び識別要求に対する応答を受信する少なくとも１つの装置を管理する加入者識別モジュール（ＳＩＭ）ツールキットアプリケーションまたはソフトウェア（２）と、
少なくとも１つの呼び出し番号のオペレータまたはインターネットアクセスプロバイダの識別を管理する識別管理プラットフォーム（４）と、
ネットワークの１つ以上の特有の要素を含んでいる、システムの異なる構成要素の間の通信ネットワーク（３）とを備え、
前記識別管理プラットフォーム（４）が、少なくとも１つの要求受信インタフェースと、少なくとも１つの応答送信インタフェースと、呼び出し番号と電話通信オペレータまたはインターネットアクセスプロバイダとの間の照合された組み合わせを統合するデータベースを形成する装置の内の少なくとも１つのアイテムに連結された識別サーバ（４ａ）とを有する
ことを特徴とするオペレータまたはインターネットアクセスプロバイダを識別するためのシステム。
【請求項２】
前記ユーザ端末（１）が、メモリ手段を有すると共に、
前記メモリ手段が、要求に対する応答の要素を、少なくとも１つのオペレータまたはインターネットアクセスプロバイダ、及び／またはエラーを表すコードの形式でピクトグラムに結合させる組み合わせテーブルを統合する
ことを特徴とする請求項１に記載のオペレータまたはインターネットアクセスプロバイダを識別するためのシステム。
【請求項３】
前記識別管理プラットフォーム（４）が、ＦＩＦＯ（First In First Out）タイプの一時メモリ手段を統合する、要求を待機状態で配置するための手段（４ｄ）を提供される
ことを特徴とする請求項１または請求項２のいずれか一項に記載のオペレータまたはインターネットアクセスプロバイダを識別するためのシステム。
【請求項４】
前記識別サーバ（４ａ）が、メモリ手段（４ｂ）内に仮のアカウント及び／またはサブアカウントを作成するための装置を有すると共に、
要求とそれぞれ関連付けられた前記アカウント及び／またはサブアカウントが、第１に、ユーザがオペレータまたはインターネットアクセスプロバイダを知りたいと願う呼び出し番号によって定義され、第２に、要求に対する応答が送信されるべきユーザの呼び出し番号によって定義される
ことを特徴とする請求項１または請求項２のいずれか一項に記載のオペレータまたはインターネットアクセスプロバイダを識別するためのシステム。
【請求項５】
もし通信ネットワーク（３）が、前記ユーザ端末（１）と前記識別管理プラットフォーム（４）との間の通信を保証するショートメッセージサービスセンタ（ＳＭＳ−Ｃ）を有する場合に、
前記ユーザ端末（１）の前記ＳＩＭツールキットアプリケーションまたはソフトウェア（２）が、そのオペレータまたはインターネットアクセスプロバイダが識別されるべきであるユーザの呼び出し番号を含むショートメッセージサービス（ＳＭＳ）を書き込むための手段と関連付けられる
ことを特徴とする請求項１から請求項４のいずれか一項に記載のオペレータまたはインターネットアクセスプロバイダを識別するためのシステム。
【請求項６】
もし通信ネットワーク（３）が、前記ユーザ端末（１）と前記識別管理プラットフォーム（４）との間の通信を保証する、ワイヤレスアプリケーションプロトコル（ＷＡＰ）または第三世代携帯電話（３Ｇ）の通信を管理するためのゲートウェイ装置を有する場合に、
前記ユーザ端末（１）の前記ＳＩＭツールキットアプリケーションまたはソフトウェア（２）が、そのオペレータまたはインターネットアクセスプロバイダが識別されるべきであるユーザの少なくとも１つの呼び出し番号を統合するファイルを送信するための手段と関連付けられる
ことを特徴とする請求項１から請求項４のいずれか一項に記載のオペレータまたはインターネットアクセスプロバイダを識別するためのシステム。
【請求項７】
前記データベースが、少なくとも１つ国に関して、呼び出し番号と、共通リモートモビリティディレクトリ（ＣＲＭＤ）を形成するこの呼び出し番号を統合する規約を管理する、呼び出し番号のそれぞれのオペレータまたはインターネットアクセスプロバイダとの間の全ての組み合わせから構成され、
前記共通リモートモビリティディレクトリ（ＣＲＭＤ）が、
識別サーバによって送信される、仮のアカウントと関連付けられた要求を受信するためのインタフェースと、
前記共通リモートモビリティディレクトリ（ＣＲＭＤ）（４ｃ）の少なくとも１つのデータベースの中の検索手段と、
受信された要求に対する応答を書き込むための手段と、
要求に対応する識別サーバの仮のアカウントに対して書き込まれた応答を送信するためのインタフェースとを有する装置（４ｃ１）と関連付けられる
ことを特徴とする請求項１から請求項６のいずれか一項に記載のオペレータまたはインターネットアクセスプロバイダを識別するためのシステム。
【請求項８】
前記識別サーバ（４ａ）が、１つの同じ仮のアカウントに対応する全ての要求の処理を制御するための制御手段を有すると共に、
前記制御手段が、共通リモートモビリティディレクトリ（ＣＲＭＤ）（４ｃ）の要求の入力／出力の数を計数する少なくとも１つのカウンタを有する
ことを特徴とする請求項４、請求項６、または請求項７のいずれか一項に記載のオペレータまたはインターネットアクセスプロバイダを識別するためのシステム。
【請求項９】
前記識別管理プラットフォーム（４）から前記ユーザ端末（１）に対して送信された識別要求に対する応答が、オペレータまたはインターネットアクセスプロバイダの少なくとも１つの識別コード、及び／または同じオペレータ／インターネットアクセスプロバイダの識別ピクトグラムを含む
ことを特徴とする請求項１から請求項８のいずれか一項に記載のオペレータまたはインターネットアクセスプロバイダを識別するためのシステム。
【請求項１０】
請求項１から請求項９のいずれか一項に記載の識別システムを使用して、ユーザ端末（１）のメモリ手段内の少なくとも１つの呼び出し番号のオペレータまたはインターネットアクセスプロバイダを識別するための方法であって、
前記方法が、少なくとも、
そのオペレータまたはインターネットアクセスプロバイダが決定されるべきである少なくとも１つの呼び出し番号を選択する段階（Ｓ１）と、
少なくとも１つのユーザの呼び出し番号のオペレータまたはインターネットアクセスプロバイダを識別するための識別要求を前記ユーザ端末（１）から送信するように、加入者識別モジュール（ＳＩＭ）ツールキットアプリケーションまたはソフトウェア（２）によって管理される段階（Ｓ３）と、
オペレータまたはインターネットアクセスプロバイダの識別を管理する識別管理プラットフォーム（４）において要求を受信する段階（Ｓ４）と、
前記識別管理プラットフォーム（４）において要求を分析する段階と、
前記識別管理プラットフォーム（４）から前記ユーザ端末（１）に対して送信された、オペレータまたはインターネットアクセスプロバイダを識別する要求に対する応答を送信する段階（Ｓ８）と、
前記ユーザ端末（１）の前記ＳＩＭツールキットアプリケーションまたはソフトウェア（２）による反応段階（Ｓ９）と
を含むことを特徴とするオペレータまたはインターネットアクセスプロバイダを識別するための方法。
【請求項１１】
前記方法が、
ユーザによって選択された少なくとも１つの呼び出し番号のオペレータまたはインターネットアクセスプロバイダを識別するための識別要求を書き込むように、前記ＳＩＭツールキットアプリケーションまたはソフトウェア（２）によって管理される段階（Ｓ２）と、
前記識別管理プラットフォーム（４）によって、識別要求に対する応答を書き込む段階（Ｓ７）とを含み、
メッセージまたはファイルの形状をしている前記識別要求が、前記ユーザ端末（１）の少なくとも１つの呼び出し番号を含む
ことを特徴とする請求項１０に記載のオペレータまたはインターネットアクセスプロバイダを識別するための方法。
【請求項１２】
識別管理プラットフォーム（４）において要求を分析する段階が、
そのオペレータまたはインターネットアクセスプロバイダが識別されるべき各呼び出し番号に対する検索要求を定義する識別管理プラットフォーム（４）において識別要求を管理する段階（Ｓ５）と、
所定の国に対する呼び出し番号とそれらのそれぞれのオペレータまたはインターネットアクセスプロバイダとの間の全ての組み合わせから構成される少なくとも１つのデータベースにおいて少なくとも１つの検索要求を処理する段階（Ｓ６）と
を含むことを特徴とする請求項１０から請求項１１のいずれか一項に記載のオペレータまたはインターネットアクセスプロバイダを識別するための方法。
【請求項１３】
もし前記ユーザ端末（１）から送信された識別要求がいくつかの呼び出し番号に関係するならば、この識別要求を管理する段階（Ｓ５）が、
識別サーバ（４ａ）と接続されたメモリ手段（４ｂ）に、要求を生成した各ユーザ番号に対する仮のアカウントを作成する段階（Ｓ５ａ１）と、
そのオペレータまたはインターネットアクセスプロバイダが識別されるべきである各呼び出し番号に対する少なくとも１つの仮のサブアカウントを作成する段階（Ｓ５ａ２）と、
サブアカウントと関連付けられた各呼び出し番号に対する検索要求を定義する段階（Ｓ５ａ３）と、
所定の国に対する呼び出し番号とそれらのそれぞれのオペレータまたはインターネットアクセスプロバイダとの間の全ての組み合わせから構成される少なくとも１つのデータベースにおいて要求の処理を管理する共通リモートモビリティディレクトリ（ＣＲＭＤ）（４ｃ）に対して、検索要求を送信する段階（Ｓ５ａ４）と
を含むことを特徴とする請求項１２に記載のオペレータまたはインターネットアクセスプロバイダを識別するための方法。
【請求項１４】
もし前記ユーザ端末（１）から送信された識別要求が単一の呼び出し番号だけに関係するならば、前記方法の管理段階（Ｓ５）が、
要求をＦＩＦＯタイプのバッファメモリ手段（４ｄ）内に待機状態で配置する段階（Ｓ５ｂ１）と、
処理を待つ呼び出し番号に対する検索要求を定義する段階（Ｓ５ｂ２）と、
要求の処理を管理する共通リモートモビリティディレクトリ（ＣＲＭＤ）（４ｃ）に対して、検索要求を送信する段階（Ｓ５ｂ３）と
を含むことを特徴とする請求項１２に記載のオペレータまたはインターネットアクセスプロバイダを識別するための方法。
【請求項１５】
共通リモートモビリティディレクトリ（ＣＲＭＤ）（４ｃ）において検索要求を処理する段階（Ｓ６）が、
要求に対応する呼び出し番号のオペレータまたはインターネットアクセスプロバイダを発見するための、呼び出し番号とそれらのそれぞれのオペレータまたはインターネットアクセスプロバイダとの間の全ての組み合わせから構成されるデータベース内の検索段階（Ｓ６ａ）と、
処理された呼び出し番号に関連付けられた識別またはエラーの要素を含む、検索要求に対応する応答を書き込む段階（Ｓ６ｂ）と、
識別サーバ（４ａ）の仮のアカウントに対して前記応答を送信する段階（Ｓ６ｃ）と
を含むことを特徴とする請求項１０から請求項１４のいずれか一項に記載のオペレータまたはインターネットアクセスプロバイダを識別するための方法。
【請求項１６】
前記検索要求の前記管理段階（Ｓ５）と前記処理段階（Ｓ６）が、１つの同じ仮のアカウントに関する全ての要求の処理を制御する制御段階（Ｓ１０）に付随して実施されると共に、
この制御段階（Ｓ１０）が、共通リモートモビリティディレクトリ（ＣＲＭＤ）（４ｃ）に対して送信された要求、及び共通リモートモビリティディレクトリ（ＣＲＭＤ）（４ｃ）から受信された応答を計数する少なくとも１つの計数段階を含む
ことを特徴とする請求項１２または請求項１４のいずれか一項に記載のオペレータまたはインターネットアクセスプロバイダを識別するための方法。
【請求項１７】
前記識別管理プラットフォーム（４）から前記ユーザ端末（１）に対して応答を送信する段階（Ｓ８）が、ショートメッセージサービス（ＳＭＳ）タイプの要素を前記ＳＩＭツールキットアプリケーションまたはソフトウェア（２）に送信する段階から構成される
ことを特徴とする請求項１０、請求項１１、請求項１２、請求項１４、または請求項１５のいずれか一項に記載のオペレータまたはインターネットアクセスプロバイダを識別するための方法。
【請求項１８】
前記識別管理プラットフォーム（４）から前記ユーザ端末（１）に対して応答を送信する段階（Ｓ８）が、ワイヤレスアプリケーションプロトコル（ＷＡＰ）または第三世代携帯電話（３Ｇ）の通信手段を装備した前記ユーザ端末（１）からアクセス可能なリンクの送信に関係すると共に、
この段階には、その場合に、それに対するオペレータまたはインターネットアクセスプロバイダの検索が実行された呼び出し番号に対応する少なくとも１つの応答の要素を含むファイルをダウンロードするための前記ユーザ端末（１）によるダウンロード段階（Ｓ８ａ）と、
前記識別管理プラットフォーム（４）のメモリ手段（４ｂ）から仮のアカウントを削除する段階（Ｓ８ｂ）とが続いている
ことを特徴とする請求項１０、請求項１１、請求項１２、請求項１３、請求項１５、または請求項１６のいずれか一項に記載のオペレータまたはインターネットアクセスプロバイダを識別するための方法。
【請求項１９】
それに対して検索が実行された各呼び出し番号に対する応答の要素が、必ずオペレータまたはインターネットアクセスプロバイダを表すピクトグラム、及び／またはエラーを表すピクトグラムが添付されたコードを形成すると共に、
ＳＩＭツールキットアプリケーションまたはソフトウェア（２）の反応段階（Ｓ９）が、
そのオペレータまたはインターネットアクセスプロバイダが検索された各呼び出し番号に対する応答において受信されたコード、及びＳＩＭカードのメモリ手段、ソフトウェアのメモリ手段、または端末のメモリ手段に未だに記録されていない、前記応答において受信された対応するピクトグラムを記録する段階（Ｓ９ａ）、またはそのオペレータまたはインターネットアクセスプロバイダが検索された各呼び出し番号に対する応答において受信された、ＳＩＭカードのメモリ手段、ソフトウェアのメモリ手段、または端末のメモリ手段内に記録されたピクトグラムに対応するコードの解読段階（Ｓ９ａ）と、
呼び出し番号に関連した応答コードに対応するピクトグラムを活性化する段階（Ｓ９ｂ）と、
それに対する応答が受信された呼び出し番号のオペレータまたはインターネットアクセスプロバイダに対応する少なくとも１つのピクトグラムをユーザ端末（１）において表示する段階（Ｓ９ｃ）とを含む
ことを特徴とする請求項１０から請求項１８のいずれか一項に記載のオペレータまたはインターネットアクセスプロバイダを識別するための方法。
【請求項２０】
それに対して検索が実行された各呼び出し番号に対する応答の要素が、オペレータ／インターネットアクセスプロバイダを表すか、またはエラーを表すピクトグラムを形成すると共に、
ＳＩＭツールキットアプリケーションまたはソフトウェアの反応段階が、ユーザ端末（１）において、それに対する応答が受信された呼び出し番号のオペレータまたはインターネットアクセスプロバイダに対応する少なくとも１つのピクトグラムを表示するか、もしくはメッセージ、コード、及び／またはエラーピクトグラムを表示する段階（Ｓ９ｃ）を含む
ことを特徴とする請求項１０から請求項１９のいずれか一項に記載のオペレータまたはインターネットアクセスプロバイダを識別するための方法。
【請求項２１】
もしそれに対して検索要求が生成された呼び出し番号が、国別の共通リモートモビリティディレクトリ（ＣＲＭＤ）基盤に含まれない外国の番号である場合に、
エラーコードが、呼び出し番号の外国に対応する共通リモートモビリティディレクトリ（ＣＲＭＤ）に対する接続アドレスと交換される
ことを特徴とする請求項１０から請求項２０のいずれか一項に記載のオペレータまたはインターネットアクセスプロバイダを識別するための方法。
【請求項２２】
もしそれに対して検索要求が生成された呼び出し番号が、国別の共通リモートモビリティディレクトリ（ＣＲＭＤ）基盤に含まれない外国の番号である場合に、
前記方法が、
検索された呼び出し番号の国番号を識別する段階と、
検索された呼び出し番号の国番号を、国番号及び国別の共通リモートモビリティディレクトリ（ＣＲＭＤ）アドレスに適合するテーブルを統合すると共に、全ての国別の共通リモートモビリティディレクトリ（ＣＲＭＤ）と相互接続される超国家的な国際共通リモートモビリティディレクトリ（ＩＲＭＤ）装置に対して送信する段階と、
国際共通リモートモビリティディレクトリ（ＩＲＭＤ）による、要求の書き込み、及び検索された呼び出し番号の国番号に対応する共通リモートモビリティディレクトリ（ＣＲＭＤ）に対する送信段階と、
国際共通リモートモビリティディレクトリ（ＩＲＭＤ）によって送信された要求に対する、共通リモートモビリティディレクトリ（ＣＲＭＤ）による応答の書き込み及び送信段階と、
検索された外国の番号に対応するサブアカウントを更新する段階と含み、
前記応答が、少なくとも１つの検索された呼び出し番号、及び必ずピクトグラムと関係づけられた、検索された呼び出し番号に対応する外国のオペレータのコード化された指示を含む
ことを特徴とする請求項１０から請求項２１のいずれか一項に記載のオペレータまたはインターネットアクセスプロバイダを識別するための方法。
【請求項２３】
もし仮のアカウントが、前記管理プラットフォーム（４）の前記メモリ手段（４ｂ）内に保持されるならば、
前記方法が、少なくとも、
共通リモートモビリティディレクトリ（ＣＲＭＤ）のデータベースの内の少なくとも１つにおける、呼び出し番号とそのオペレータ／インターネットアクセプロバイダとの間の組み合わせを更新する段階と、
呼び出し番号をいくつかの可能な既知の入力フォーマットに変えるテーブルを使用して、そのオペレータが更新された呼び出し番号に対する異なるフォーマットを検索する段階と、
そのオペレータが承認された入力フォーマットにおいて更新された呼び出し番号に対応する少なくとも１つのサブアカウントを検索する段階と、
その組み合わせが更新された呼び出し番号と関連付けられたサブアカウントにおけるオペレータ識別要素を修正する段階と、
新しいオペレータ識別要素を、その呼び出し番号が仮のアカウントと関連付けられた前記ユーザ端末（１）に対して送信する段階と
を含むことを特徴とする請求項１０から請求項２２のいずれか一項に記載のオペレータまたはインターネットアクセスプロバイダを識別するための方法。
【発明の詳細な説明】
【技術分野】
【０００１】
本発明は、電話オペレータまたはアクセスプロバイダの識別システム関する分野に関係すると共に、更に具体的には、呼の電話通信を管理するオペレータまたはインターネットアクセスプロバイダを識別するためのシステム、及びオペレータまたはアクセスプロバイダの識別要素を、呼の呼び出し番号と結び付けるシステムの分野に関係する。
【背景技術】
【０００２】
電話オペレータは、有望なユーザが同一のオペレータを使用する呼の方へ呼を増加させる販売促進の提案を、頻繁に行っている。オペレータのネットワークの中で生成された呼は、従って、ネットワークの外で生成された呼、すなわちユーザに対する異なる電話オペレータを使用する呼より、はるかに更に有利な方法において請求書が送られる。このタイプの≪オンネット（on net）≫と呼ばれる提案の有利性を最大限に利用することを望むユーザのために、彼らの異なる呼のオペレータを彼らが知ることができるということが重要である。
【０００３】
現在における、この問題を克服することを望む携帯電話ユーザに対する唯一の既知の解決方法は、彼らがそれぞれどのオペレータを利用するかについて、彼らの交信のたびに尋ねると共に、それを覚えておくように暗記することによってこの情報を学ぶことから構成される。
【発明の開示】
【発明が解決しようとする課題】
【０００４】
本発明の目的は、第一にユーザの端末によって使用される少なくとも１つの電話通信サービスを提供するオペレータまたはインターネットアクセスプロバイダに関する情報の獲得を容易にすると共に、第二にこの情報の記憶を容易にするシステムを提案することである。
【課題を解決するための手段】
【０００５】
この目的は、ユーザの端末において記憶された少なくとも１つの呼び出し番号のための少なくとも１つの電話通信サービスを提供するオペレータまたはインターネットアクセスプロバイダを識別するためのシステムを用いて達成され、前記システムは、端末に統合された少なくとも１つのメモリ手段、もしくは端末に接続された少なくとも１つのメモリ手段を有すると共に、ユーザの交信の呼び出し番号のディレクトリを有する少なくとも１つのユーザ端末と、前記ユーザ端末に統合されると共に、少なくとも１つの呼び出し番号のオペレータまたはインターネットアクセスプロバイダを識別するための識別要求を送信する少なくとも１つの送信装置、及び識別要求に対する応答を受信する少なくとも１つの受信装置を管理する加入者識別モジュール（ＳＩＭ）ツールキットアプリケーションまたはソフトウェアと、少なくとも１つの呼び出し番号のオペレータまたはインターネットアクセスプロバイダの識別を管理するプラットフォームと、ネットワークの１つ以上の特有の要素を含んでいる、システムの異なる構成要素の間の通信ネットワークとを備え、前記識別管理プラットフォームが、呼び出し番号と電話通信オペレータまたはインターネットアクセスプロバイダとの間の組み合わせを統合するデータベースを形成する装置の内の少なくとも１つのアイテムに連結された識別サーバと同様に、少なくとも１つの要求受信インタフェースと、少なくとも１つの応答送信インタフェースとを有することを特徴とする。
【０００６】
本発明の１つの変形によれば、オペレータまたはインターネットアクセスプロバイダを識別するためのシステムは、前記ユーザ端末が、メモリ手段を有すると共に、前記メモリ手段が、要求に対する応答の要素を、少なくとも１つのオペレータまたはインターネットアクセスプロバイダ、及び／またはエラーを表すコードの形式でピクトグラムに結合させる組み合わせテーブルを統合することを特徴とする。
【０００７】
本発明の別の変形によれば、オペレータまたはインターネットアクセスプロバイダを識別するためのシステムは、前記識別管理プラットフォームが、ＦＩＦＯ（First In First Out）タイプの一時メモリ手段を統合する、要求を待機状態で配置するための手段を提供されることを特徴とする。
【０００８】
本発明の別の変形によれば、オペレータまたはインターネットアクセスプロバイダを識別するためのシステムは、前記識別サーバが、メモリ手段（４ｂ）内に仮のアカウント及び／またはサブアカウントを作成するための装置を有すると共に、要求とそれぞれ関連付けられた前記アカウント及び／またはサブアカウントが、第１に、オペレータまたはインターネットアクセスプロバイダを知りたいと願うユーザの呼の呼び出し番号によって定義され、第２に、要求に対する応答が送信されるべきユーザの呼び出し番号によって定義されることを特徴とする。
【０００９】
本発明の別の変形によれば、オペレータまたはインターネットアクセスプロバイダを識別するためのシステムは、もし通信ネットワークが、前記ユーザ端末と前記識別管理プラットフォームとの間の通信を保証するショートメッセージサービスセンタ（ＳＭＳ−Ｃ）を有する場合に、前記ユーザ端末の前記ＳＩＭツールキットアプリケーションまたはソフトウェアが、そのオペレータまたはインターネットアクセスプロバイダが識別されることが望まれるユーザの呼び出し番号を含むショートメッセージサービス（ＳＭＳ）を書き込むための手段と関連付けられることを特徴とする。
【００１０】
本発明の別の変形によれば、オペレータまたはインターネットアクセスプロバイダを識別するためのシステムは、もし通信ネットワークが、前記ユーザ端末と前記識別管理プラットフォームとの間の通信を保証する通信、すなわちワイヤレスアプリケーションプロトコル（ＷＡＰ）または第三世代携帯電話（３Ｇ）を管理するためのゲートウェイ装置を有する場合に、前記ユーザ端末の前記ＳＩＭツールキットアプリケーションまたはソフトウェアが、そのオペレータまたはインターネットアクセスプロバイダが識別されることが望まれるユーザの少なくとも１つの呼び出し番号を統合するファイルを送信するための手段と関連付けられることを特徴とする。
【００１１】
本発明の別の変形によれば、オペレータまたはインターネットアクセスプロバイダを識別するためのシステムは、前記データベースが、少なくとも１つ国に関して、呼び出し番号と、共通リモートモビリティディレクトリ（ＣＲＭＤ）を形成するこの呼び出し番号を統合する規約を管理する、呼び出し番号のそれぞれのオペレータまたはインターネットアクセスプロバイダとの間の全ての照合された組み合わせから構成され、前記共通リモートモビリティディレクトリ（ＣＲＭＤ）が、識別サーバによって送信される、仮のアカウントと関連付けられた要求の受信インタフェースと、前記共通リモートモビリティディレクトリ（ＣＲＭＤ）の少なくとも１つのデータベースの中の検索手段と、受信された要求に対する応答を書き込むための手段と、要求に対応する識別サーバの仮のアカウントに対して書き込まれた応答を送信するためのインタフェースとを有する装置と関連付けられることを特徴とする。
【００１２】
本発明の別の変形によれば、オペレータまたはインターネットアクセスプロバイダを識別するためのシステムは、前記識別サーバが、１つの同じ仮のアカウントに対応する全ての要求の処理を制御するための制御手段を有すると共に、前記制御手段が、共通リモートモビリティディレクトリ（ＣＲＭＤ）の要求の入力／出力の数を計数する少なくとも１つのカウンタを有することを特徴とする。
【００１３】
本発明の別の変形によれば、オペレータまたはインターネットアクセスプロバイダを識別するためのシステムは、前記識別管理プラットフォームから前記ユーザ端末に対して送信された識別要求に対する応答が、オペレータまたはインターネットアクセスプロバイダの少なくとも１つの識別コード、及び／または同じオペレータ／インターネットアクセスプロバイダを識別するピクトグラムを含むことを特徴とする。
【００１４】
本発明の更なる目的は、前記システムの適切な機能を可能にする方法を提案することである。
【００１５】
この目的は、本発明の識別システムを使用するユーザ端末のメモリ手段内の少なくとも１つの呼び出し番号のオペレータまたはインターネットアクセスプロバイダを識別するための方法を用いて達成され、前記方法は、少なくとも、そのオペレータまたはインターネットアクセスプロバイダを判定することが求められる少なくとも１つの呼び出し番号を選択する選択段階と、少なくとも１つのユーザの呼び出し番号のオペレータまたはインターネットアクセスプロバイダを識別するための要求を前記ユーザ端末から送信するように、加入者識別モジュール（ＳＩＭ）ツールキットアプリケーションまたはソフトウェアによって管理される段階と、オペレータまたはインターネットアクセスプロバイダを識別する管理プラットフォームにおいて要求を受信する受信段階と、前記識別管理プラットフォームにおける要求の分析段階と、前記識別管理プラットフォームから前記ユーザ端末に対して送信された、オペレータまたはインターネットアクセスプロバイダの識別のための要求に対する応答を送信する段階と、前記ユーザ端末の前記ＳＩＭツールキットアプリケーションまたはソフトウェアによる反応段階とを含むことを特徴とする。
【００１６】
本発明の１つの変形によれば、オペレータまたはインターネットアクセスプロバイダを識別するための方法は、それが、ユーザによって選択された少なくとも１つの呼び出し番号のオペレータまたはインターネットアクセスプロバイダの識別のための要求を書き込むように、前記ＳＩＭツールキットアプリケーションまたはソフトウェアによって管理される段階と、前記識別管理プラットフォームにおいて、識別要求に対する応答を書き込む段階とを含み、メッセージまたはファイルから構成される前記識別要求が、前記ユーザ端末の少なくとも１つの呼び出し番号を含むことを特徴とする。
【００１７】
本発明の別の変形によれば、オペレータまたはインターネットアクセスプロバイダを識別するための方法は、識別管理プラットフォームにおける要求の分析段階が、そのオペレータまたはインターネットアクセスプロバイダが識別されるべき各呼び出し番号に対する要求を定義する識別管理プラットフォームにおいて要求を管理する段階と、所定の国に対する呼び出し番号とそれらのそれぞれのオペレータまたはインターネットアクセスプロバイダとの間の全ての照合された組み合わせから構成される少なくとも１つのデータベースにおいて少なくとも１つの要求を処理する段階とを含むことを特徴とする。
【００１８】
本発明の別の変形によれば、オペレータまたはインターネットアクセスプロバイダを識別するための方法は、もし前記ユーザ端末から送信された要求がいくつかの呼び出し番号に関係するならば、前記要求の管理段階が、識別サーバと接続されたメモリ手段に、要求を生成した各ユーザ番号に対する仮のアカウントを作成する段階と、そのオペレータまたはインターネットアクセスプロバイダが識別されるべきである各呼び出し番号に対する少なくとも１つの仮のサブアカウントを作成する段階と、サブアカウントと関連付けられた各呼び出し番号に対する検索要求を定義する段階と、所定の国に対する呼び出し番号とそれらのそれぞれのオペレータまたはインターネットアクセスプロバイダとの間の全ての照合された組み合わせから構成される少なくとも１つのデータベースにおいて要求の処理を管理する共通リモートモビリティディレクトリ（ＣＲＭＤ）に対して、要求を送信する段階とを含むことを特徴とする。
【００１９】
本発明の別の変形によれば、オペレータまたはインターネットアクセスプロバイダを識別するための方法は、もし前記ユーザ端末から送信された要求が単一の呼び出し番号だけに関係するならば、前記方法の管理段階が、要求をＦＩＦＯタイプのバッファメモリ手段において待機状態で配置する段階と、処理を待つ呼び出し番号に対する検索要求を定義する段階と、要求の処理を管理する共通リモートモビリティディレクトリ（ＣＲＭＤ）に対して、要求を送信する段階とを含むことを特徴とする。
【００２０】
本発明の別の変形によれば、オペレータまたはインターネットアクセスプロバイダを識別するための方法は、共通リモートモビリティディレクトリ（ＣＲＭＤ）において要求を処理する段階が、要求に対応する呼び出し番号のオペレータまたはインターネットアクセスプロバイダを発見するための、呼び出し番号とそれらのそれぞれのオペレータまたはインターネットアクセスプロバイダとの間の全ての照合された組み合わせから構成されるデータベース内の検索段階と、処理された呼び出し番号に関連付けられた識別またはエラーの要素を含む、要求に対応する応答を書き込む段階と、識別サーバの仮のアカウントに対して前記応答を送信する段階とを含むことを特徴とする。
【００２１】
本発明の別の変形によれば、オペレータまたはインターネットアクセスプロバイダを識別するための方法は、前記要求を管理する段階と前記要求を処理する段階が、１つの同じ仮のアカウントに対応する全ての要求の処理を制御する制御段階に付随して実施されると共に、この制御段階が、共通リモートモビリティディレクトリ（ＣＲＭＤ）に対して送信された要求、及び共通リモートモビリティディレクトリ（ＣＲＭＤ）から受信された応答を計数する少なくとも１つの計数段階を含むことを特徴とする。
【００２２】
本発明の別の変形によれば、オペレータまたはインターネットアクセスプロバイダを識別するための方法は、前記識別管理プラットフォームから前記ユーザ端末に対して応答を送信する段階が、ショートメッセージサービス（ＳＭＳ）タイプの要素を前記ＳＩＭツールキットアプリケーションまたはソフトウェアに送信する段階から構成されることを特徴とする。
【００２３】
本発明の別の変形によれば、オペレータまたはインターネットアクセスプロバイダを識別するための方法は、前記識別管理プラットフォームから前記ユーザ端末に対して応答を送信する段階が、ワイヤレスアプリケーションプロトコル（ＷＡＰ）または第三世代携帯電話（３Ｇ）の通信手段を装備した前記ユーザ端末からアクセス可能なリンクの送信に関係すると共に、この段階には、その場合に、それに対するオペレータまたはインターネットアクセスプロバイダの検索が実行された呼び出し番号に対応する少なくとも１つの応答の要素を含むファイルの前記ユーザ端末によるダウンロード段階と、前記識別管理プラットフォームのメモリ手段から仮のアカウントを削除する段階とが続いていることを特徴とする。
【００２４】
本発明の別の変形によれば、オペレータまたはインターネットアクセスプロバイダを識別するための方法は、それに対して検索が実行された各呼び出し番号に対する応答要素が、必ずオペレータまたはインターネットアクセスプロバイダを表すピクトグラム、及び／またはエラーを表すピクトグラムが添付されたコードを形成すると共に、ＳＩＭツールキットアプリケーションまたはソフトウェアの反応段階が、そのオペレータまたはインターネットアクセスプロバイダが検索された各呼び出し番号に対する応答において受信されたコード、及びＳＩＭカードのメモリ手段、ソフトウェアのメモリ手段、または端末のメモリ手段に未だに記録されていない、前記応答において受信された対応するピクトグラムを記録する段階、またはそのオペレータまたはインターネットアクセスプロバイダが検索された各呼び出し番号に対する応答において受信された、ＳＩＭカードのメモリ手段、ソフトウェアのメモリ手段、または端末のメモリ手段内に記録されたピクトグラムに対応するコードを解読する段階と、呼び出し番号に関連した応答コードに対応するピクトグラムを活性化する段階と、それに対する応答が受信された呼び出し番号のオペレータまたはインターネットアクセスプロバイダに対応する少なくとも１つのピクトグラムをユーザ端末において表示する段階とを含むことを特徴とする。
【００２５】
本発明の別の変形によれば、オペレータまたはインターネットアクセスプロバイダを識別するための方法は、それに対して検索が実行された各呼び出し番号に対する応答要素が、オペレータ／インターネットアクセスプロバイダを表すか、またはエラーを表すピクトグラムを形成すると共に、ＳＩＭツールキットアプリケーションまたはソフトウェアによる反応段階が、ユーザ端末において、それに対する応答が受信された呼び出し番号のオペレータまたはインターネットアクセスプロバイダに対応する少なくとも１つのピクトグラムを表示するか、もしくはメッセージ、コード、及び／またはエラーピクトグラムを表示する段階を含むことを特徴とする。
【００２６】
本発明の別の変形によれば、オペレータまたはインターネットアクセスプロバイダを識別するための方法は、それに対して検索要求が生成された呼び出し番号が、国別の共通リモートモビリティディレクトリ（ＣＲＭＤ）基盤に含まれない外国の番号である場合に、エラーコードが、呼び出し番号の外国に対応する共通リモートモビリティディレクトリ（ＣＲＭＤ）に対する接続アドレスと交換されることを特徴とする。
【００２７】
本発明の別の変形によれば、オペレータまたはインターネットアクセスプロバイダを識別するための方法は、もしそれに対して検索要求が生成された呼び出し番号が、国別の共通リモートモビリティディレクトリ（ＣＲＭＤ）基盤に含まれない外国の番号である場合に、前記方法が、検索された呼び出し番号の国番号を識別する段階と、検索された呼び出し番号の国番号を、国番号と国別の共通リモートモビリティディレクトリ（ＣＲＭＤ）のアドレスとの照合された組み合わせを含むテーブルを統合すると共に、全ての国別の共通リモートモビリティディレクトリ（ＣＲＭＤ）と相互接続される超国家的なリモートディレクトリ装置である国際共通リモートモビリティディレクトリ（ＩＲＭＤ）に対して送信する段階と、国際共通リモートモビリティディレクトリ（ＩＲＭＤ）による、要求の書き込み、及び検索された呼び出し番号の国番号に対応する共通リモートモビリティディレクトリ（ＣＲＭＤ）に対する送信段階と、共通リモートモビリティディレクトリ（ＣＲＭＤ）による、国際共通リモートモビリティディレクトリ（ＩＲＭＤ）の要求に対する応答の書き込み及び送信段階と、検索された外国の番号に対応するサブアカウントを更新する段階と含み、前記応答が、少なくとも１つの検索された呼び出し番号、及び必ずピクトグラムと関係づけられた、検索された呼び出し番号に対応する外国のオペレータのコードによる指示を含むことを特徴とする。
【００２８】
本発明の別の変形によれば、オペレータまたはインターネットアクセスプロバイダを識別するための方法は、仮のアカウントが、前記管理プラットフォームの前記メモリ手段内に保持されると共に、前記方法が、少なくとも、共通リモートモビリティディレクトリ（ＣＲＭＤ）のデータベースの内の少なくとも１つにおける、呼び出し番号とそのオペレータ／インターネットアクセプロバイダとの間の組み合わせを更新する段階と、呼び出し番号をいくつかの可能な既知の入力フォーマットに変えるテーブルに頼って、そのオペレータが更新された呼び出し番号に対する異なるフォーマットを検索する段階と、そのオペレータが承認された入力フォーマットにおいて更新された呼び出し番号に対応する少なくとも１つのサブアカウントを検索する段階と、その組み合わせが更新された呼び出し番号と関連付けられたサブアカウントにおけるオペレータ識別要素を修正する段階と、新しいオペレータ識別要素を、その呼び出し番号が仮のアカウントと関連付けられた前記ユーザ端末に対して送信する段階とを含むことを特徴とする。
【発明を実施するための最良の形態】
【００２９】
その特性及び利点を備えた本発明は、添付された図面を参照して与えられた説明を読むと、更に明らかに明白になる。
【００３０】
文書の全体において、用語≪オペレータ≫は、その幅広い意味で解釈されるべきである。それは、従って、陸上固定電話または携帯電話の両方の電話通信オペレータ、及び１つ以上の電話通信サービスを提供すインターネットアクセスプロバイダに関係すると共に、更にポケットベル呼び出しオペレータに関係する。
【００３１】
同様に、用語≪共通リモートモビリティディレクトリ（ＣＲＭＤ）≫は、携帯端末番号をそれらのそれぞれのオペレータに結び付けるテーブルを含む装置を制限的に定義せず、更に端末番号を固定電話または携帯電話に拘わらずそのオペレータまたはインターネットアクセスプロバイダに結び付ける１つ以上のテーブルを含む装置に適用する。
【００３２】
本発明の結合システムは、ユーザが、彼の／彼女の端末１から、端末１の加入者識別モジュール（ＳＩＭ）カードメモリ１ｂ内、またはこの端末１に固有のメモリ１ａ内、更には端末１と接続された外部メモリ１ｃ内に記録された少なくとも１つの呼び出し番号を管理するオペレータを識別するための要求を送信することを可能にする。ユーザ端末１は、ユーザが識別要求を生成することを可能にする入力及び表示手段を含む。
【００３３】
本発明のシステムは、ユーザ端末１にインストールされた加入者識別モジュール（ＳＩＭ）ツールキットアプリケーション（SIM Tool Kit application）またはソフトウェア２を含む。このＳＩＭツールキットアプリケーションまたはソフトウェア２は、ユーザが彼らの端末１と対話することを特に可能にする手段として、ＧＳＭ標準の下で定義される。このアプリケーション２は、それがインストールされる端末１と加入者呼び出し番号のオペレータの識別を管理するプラットフォーム４との間の通信を管理する。端末１のアプリケーション２と管理プラットフォーム４との間の通信は、携帯電話通信ネットワークの装置特性を使用して、ネットワーク３を介して実行される。
【００３４】
本発明のシステムの特別な実施例によれば、そのネットワークは、単一の呼び出し番号に関係する要求の転送に適している少なくとも１つのショートメッセージサービスセンタ（ＳＭＳ−Ｃ）、及び／またはワイヤレスアプリケーションプロトコル（ＷＡＰ）接続ゲートウェイ、及び／または呼び出し番号のグループに関連する要求の転送に適している第三世代携帯電話接続ゲートウェイを統合する。これらの要素は、従って管理プラットフォーム４の通信インタフェースに特有である。
【００３５】
端末１における≪ＳＩＭツールキット≫アプリケーションまたはソフトウェア２は、第一に呼び出し番号識別要求の送付、及び第二にこれらの要求に対する応答を管理する。そうするために、そのアプリケーションは、要求を書き込むと共に送信するための手段と関連付けられている。これらの要求の各々の書き込みは、従って、端末１から識別管理プラットフォーム４に対して送信されるメッセージまたはファイルの形式で、ＳＩＭツールキットアプリケーションまたはソフトウェア２によって制御される。アプリケーション（２）は、更に、受信機装置と関連付けられたプラットフォーム４から受信された応答を制御する。必要なら、もしその応答が識別またはエラーの少なくとも１つのコード化された要素を含むならば、この制御は、ＳＩＭツールキットアプリケーションまたはソフトウェア２と関連付けられた解読装置に頼ることができる。
【００３６】
実施例の１つの変形によれば、ネットワークに送信されたデータは、例えばＳＩＭアプレットまたはソフトウェアに格納され得る公開鍵／秘密鍵タイプの暗号化を有していることができる。
【００３７】
更に、識別が、ユーザの呼の呼び出し番号の次のオペレータのピクトグラムの表示に対応する場合に、ＳＩＭツールキットアプリケーションまたはソフトウェア２は、呼び出し番号のそれぞれのオペレータのピクトグラムを、端末１のメモリ１ａ内に、またはＳＩＭカードのメモリ１ｂ内に、または端末１に接続されたメモリ１ｃ内に入力する手段と関連付けられる。
【００３８】
呼び出し番号のオペレータを識別する識別管理プラットフォーム４は、いくつかの要素を含む。第１の要素は、識別サーバ４ａを形成する。特に通信ネットワーク３を通じたシステムの少なくとも１つの端末１との通信インタフェースを有するこのサーバ４ａは、識別要求を受信すると共に、この要求に対する応答を異なる端末１に対して送信する、両方の機能を実行する。サーバ４ａは、ネットワーク３と組み合わせを管理するプラットフォーム４の全ての要素との間のインタフェースの役割を果たす。識別サーバ４ａは、従って、所定の国に対する呼び出し番号とそれらのそれぞれのオペレータとの間の全ての照合された組み合わせを含む少なくとも１つのデータベース（４ｃ）と連結される。携帯端末番号に関して、オペレータ／番号の組み合わせのこの基盤は、共通リモートモビリティディレクトリ（ＣＲＭＤ）と呼ばれる。これらのデータベース４ｃ、そして更に詳しくは、共通リモートモビリティディレクトリ（ＣＲＭＤ）は、現在全国レベルで知られているが、しかし超国家的レベル（ヨーロッパ、ＮＡＦＴＡエリア等）で完全に十分に開発されるであろう。
【００３９】
この共通リモートモビリティディレクトリ（ＣＲＭＤ）４ｃは、少なくとも１つの検索手段を統合する装置４ｃ１と関連付けられていると共に、更に応答を書き込むための書き込み手段と、識別管理プラットフォーム４の中の識別サーバ４ａと通信するための手段とを備えている。
【００４０】
更に、本発明の１つの好ましい実施例によれば、管理プラットフォーム４は、識別サーバ４ａに連結されたメモリ手段４ｂを含む。このメモリ４ｂは、プラットフォームにおける異なる要求の管理の間、特に仮のアカウント、更にはサブアカウントを作成／削除するために使用される。前記メモリは、呼び出し番号のグループに関係する検索要求を管理するのに適している。
【００４１】
本発明の別の実施例によれば、管理プラットフォーム４は、特に識別サーバ４ａによって受信された応答の数が共通リモートモビリティディレクトリ（ＣＲＭＤ）４ｃに対して送信された検索要求の数に等しいかを確認する計数手段を含む制御装置を統合する。この装置は、ユーザ端末１に対して応答が送信される前に、いくつかの呼び出し番号の識別を求める受信された要求が段階Ｓ６ａで全て検索されたことを確認し得る。
【００４２】
本発明の実施例の１つの変形によれば、管理プラットフォーム４は、ＦＩＦＯタイプ（ファーストインファーストアウト：First In First Out）の一時メモリ手段を有する、連続する要求を待機状態で配置するための手段４ｄを統合する。前記メモリは、呼び出し番号のグループに関係する検索要求を管理するのに適している。
【００４３】
本発明のシステムの動作方法は、最初に、それに関してオペレータを知ることを要求されるメモリ内の少なくとも１つの呼び出し番号を選択するための、ユーザによる彼の／彼女のユーザ端末１における選択段階Ｓ１を包含する。この選択段階Ｓ１は、ユーザ端末１の表示及び入力手段を通じてユーザによって活性化されるＳＩＭツールキットアプリケーションまたはソフトウェア２を使用する。
【００４４】
一度、そのユーザが、それに関してオペレータ識別が要求されるべきである、ユーザ端末１のメモリ内の呼び出し番号を決定したら、≪ＳＩＭツールキット≫アプリケーションまたはソフトウェア２は、識別要求の書き込みを活性化する（Ｓ２）。識別管理プラットフォーム４との選択された通信インタフェース（ＳＭＳ−Ｃ、またはＷＡＰ、または３Ｇ）に応じたこの要求は、シンプルなメッセージまたはファイルの形式の要求であり得る。異なる場合において、この要求は、そのオペレータが識別されるべきであるユーザの少なくとも１つの呼び出し番号、及びユーザの呼び出し番号によって定義される。一度要求が書かれれば（Ｓ２）、それは、本発明のシステムによって使用されるネットワーク３を経由して、ユーザ端末１から管理プラットフォーム４に対して送信される（Ｓ３）。
【００４５】
要求が管理プラットフォーム４で受信される（Ｓ４）とき、それは分析される。それから、それは、他のユーザの端末から受信された異なる他の要求に混じって、要求に対する応答を提供するための処理段階Ｓ６が続いてる管理段階Ｓ５を経験する。
【００４６】
識別サーバ４ａにおいて実行される管理段階Ｓ５の第１の変形によれば、そしていくつかの要求の適切な管理のために、一度要求が受信されれば、それは、バッファメモリとして機能するＦＩＦＯタイプのメモリ手段４ｄ内に、待機状態で配置される（Ｓ５ｂ１）。各識別要求に対して、処理を待つ呼び出し番号の検索要求が、その場合に、定義される（Ｓ５ｂ２）。要求は、その場合に、要求を処理する共通リモートモビリティディレクトリ（ＣＲＭＤ）４ｃに送信される。
【００４７】
別の変形によれば、管理段階Ｓ５は、一人の同じユーザの呼び出し番号のグループに関係する検索要求に適している。検索要求は、一人の同じユーザによって生成された１つの同じ識別要求の中で、そのオペレータが識別されるべき各々の呼び出し番号に対して定義される。この管理段階Ｓ５は、その場合に、管理プラットフォーム４のメモリ手段４ｂにおける仮のアカウントの作成（Ｓ５ａ１）によって最初に実行される。このように作成されたこの仮のアカウントは、その場合に、要求を実行したユーザ端末の呼び出し番号によって参照される。この仮のアカウントにおいて、そのオペレータが識別されるべき各呼び出し番号に対して仮のサブアカウントが作成される（Ｓ５ａ２）と共に、次に、サブアカウントと関連付けられた呼び出し番号のそれぞれに対して検索要求が定義される（Ｓ５ａ３）。要求が定義されるとき、その場合に、それは、共通リモートモビリティディレクトリ（ＣＲＭＤ）４ｃに対して、その場所で処理するために送信される。
【００４８】
本発明の方法の管理段階Ｓ５の各々の変形に関して、ユーザによって要求された各呼び出し番号に対する検索要求の定義は、その場合に、バッファメモリと関連して、またはアカウント／サブアカウントの作成と関連して、１つの同じ呼び出し番号に対する検索の重複を回避することを可能にする。
【００４９】
共通リモートモビリティディレクトリ（ＣＲＭＤ）４ｃによる要求の処理段階Ｓ６は、オペレータ識別要求に対して応答を与えることを目的としている。この処理段階Ｓ６は、要求に対応する呼び出し番号のオペレータを発見するための検索段階６ａによって最初に実行される。この検索段階Ｓ６ａは、所定の国に対する全ての呼び出し番号とそれらのそれぞれのオペレータとの間の全ての照合された組み合わせから構成される少なくとも１つのデータベースと関連付けられた少なくとも１つの検索手段を使用する。この検索段階Ｓ６ａは、データベースの調査が実行されるべきであるかを決定するために、少なくとも第１の呼び出し番号弁別器を使用する。例えば、呼び出し番号の識別子は、陸上固定電話端末の地点番号の基盤（０Ｚ）、携帯端末番号のデータベース（０６）、番号提供サービスのデータベース、外国の番号のデータベース、少なくとも１つのインターネットアクセスプロバイダによって提供された番号のデータベース、ポケットベルのデータベース等において、検索が実行されなければならないか否かを決定するために使用されることができる。
【００５０】
検索Ｓ６ａが実行されるとき、要求に対する応答が書き込まれる（Ｓ６ｂ）。この応答は、その場合に、オペレータの識別要素を含むか、もしくは、もし検索Ｓ６ａが不成功であったならば、エラーの識別要素を含む。応答のこの要素は、その場合に、第一に、それに対して検索が要求された対応する呼び出し番号と関連付けられると共に、第二に、ユーザの呼び出し番号と関連付けられる。そして、この応答は、管理プラットフォーム４の識別サーバ４ｃに対して送信される（Ｓ６ｃ）。
【００５１】
方法の１つの変形によれば、応答における識別またはエラーの要素は、それぞれ、呼び出し番号オペレータのピクトグラムの活性化コード、もしくはエラーコードに対応する。ユーザ端末１に統合されたメモリ手段、またはユーザ端末１のＳＩＭカード１ｂに統合されたメモリ手段、または恐らくはユーザ端末１のＳＩＭツールキットアプリケーションまたはソフトウェア２と関連付けられたメモリ手段は、各オペレータコードまたはエラーコードをピクトグラムと照合する関連テーブルを含む。しかしながら、共通リモートモビリティディレクトリ（ＣＲＭＤ）において、更にメモリ手段は、オペレータコードと関連付けられるピクトグラムの間の全ての関連テーブルを含む。あらゆる新しいオペレータ、例えば仮想移動体通信事業者（ＭＶＮＯ：Mobile Virtual Network Operator：仮想移動体サービス事業者）に対して、及び／または新しいオペレータコードと新しいピクトグラムとの間の組み合わせが、ユーザ端末１のメモリ手段の関連テーブルにまだ記憶されていないとき、応答の識別要素は、新しいオペレータのコード／ピクトグラムのペアの形式で送信されたこの新しい組み合わせを含む。
【００５２】
方法の１つの特別な実施例によれば、例えばオペレータが検索された呼び出し番号が、陸上固定電話の番号、または外国の携帯電話番号等の特別なエラーにそれぞれが特有である異なるエラーコードが使用され得る。
【００５３】
識別サーバ４ｃにおいて、受信された応答の各々は、あらゆる重複が存在しないことを証明するために、対応するアカウント／サブアカウントに格納される。それから、応答は、システムのネットワーク３を介してユーザ端末１に対して送信される（Ｓ８）前に、識別サーバ４ｃによって書き込まれる（Ｓ７）。
【００５４】
１つの同じ検索要求がいくつかの呼び出し番号のオペレータ検索を含むならば、検索要求は、ユーザの呼び出し番号を有すると共に、要求された呼び出し番号毎に１つのサブアカウントを備える、いくつかのサブアカウントを含むアカウントに一時的にセーブされる。同様の方法で入力された一人の同じユーザの番号を有するそれらのサブアカウントのみが、重複していると考えられる。例えば、国別フォーマット（０１  ２３  ４５  ６７  ８９）で入力された番号は、国際的なフォーマット（３３  １  ２３  ４５  ６７  ８９）で入力された同じ番号と異なると考えられると共に、これらの番号の保存は、その場合に、異なるサブアカウントにおいて実行される。同様に、ユーザ端末のＳＩＭツールキットアプリケーションまたはソフトウェアにおいて、いくつかの呼び出し番号に対して検索が要求される場合に、もし二人のユーザが異なるスペル（例えば、Dupond及びDupont）を有するが、しかし同じ番号を有するならば、それらは、重複とは考えられないが、しかし管理プラットフォームに効果的に送信されると共に、それぞれのサブアカウントにセーブされることになる。その場合に、本発明の方法は、１つの同じ仮のアカウントにおける全ての要求が処理されたということを確認する制御装置によって実行される制御段階Ｓ１０を含む。この制御段階Ｓ１０は、管理段階Ｓ５及び処理段階Ｓ６と並列に、連続して実行される。それは、特に共通リモートモビリティディレクトリ（ＣＲＭＤ）４ｃに対して送信された要求の数が共通リモートモビリティディレクトリ（ＣＲＭＤ）によって識別サーバ４ａに対して与えられた応答の数と等しいことを確認する計数手段を使用し、それによって、管理プラットフォーム４が、ユーザ端末１に対して、要求における全ての呼び出し番号に対する検索の結果を包含する単一の応答を送信すること（Ｓ８）だけを可能にすると共に、この応答は、制御段階Ｓ１０が首尾よく完成されたならば、１度だけ送信される（Ｓ８）。
【００５５】
使用されるインタフェースのタイプに応じて、そして、一般的に１つの同じ識別要求に対して生成された多数の検索要求について、識別サーバによって送信された（Ｓ８）応答は、同じフォームを有していない。もし識別要求が呼び出し番号の削減された番号のオペレータの識別のみに関係するならば、その応答は、ショートメッセージサービス（ＳＭＳ）タイプのメッセージの形式で、一般的に実行される。一方、ＷＡＰもしくは３Ｇゲートウェイを経由してファイルの形式で識別サーバ４ａに対して送信された多数の呼び出し番号に関係する識別要求に対して、応答は、そこからユーザ端末１のユーザが、それに対して識別が要求された呼び出し番号のそれぞれに対する応答を含むファイルのダウンロード段階（Ｓ８ａ）を実行しなければならないリンクの形式である。ファイルは、従って、ユーザ端末１によって、作成された仮のアカウントのそれぞれに対してダウンロードされなければならない。一度ファイルがユーザによってダウンロードされた（Ｓ８ｑａ）ならば、仮のアカウントは、メモリ４ｂから削除される（Ｓ８ｂ）。
【００５６】
呼び出し番号のそれぞれに対する応答がユーザ端末１によって受信されるとき、ＳＩＭツールキットアプリケーションまたはソフトウェア２は、Ｓ９を反応させる。もし応答がエラーコードまたはピクトグラムの活性化と対応するならば、この反応は、それに関してオペレータが検索された各呼び出し番号に対して受信されたコードの解読段階Ｓ９ａを最初に含み得る。一度応答が解読されれば、受信された応答コードに対応するピクトグラムが活性化される（Ｓ９ｂ）。もしそれがオペレータに対応する応答コードであるならば、その場合に、ユーザの呼の呼び出し番号と共に、オペレータのピクトグラムが表示される（Ｓ９ｃ）。同様に、もしそれが特別なエラーコードであるならば、エラーに特有のピクトグラムは、このエラーコードを引き起こす番号と関連付けられる。
【００５７】
実施例の１つの変形によれば、それに対して検索要求が実行される呼び出し番号が、国別の共通リモートモビリティディレクトリ（ＣＲＭＤ）基盤に含まれない外国の番号である場合に、エラーコードは、呼び出し番号の外国に対応する共通リモートモビリティディレクトリ（ＣＲＭＤ）基盤に接続するアドレスの表示を活性化し得る。代りに、検索された外国の呼び出し番号の国番号が、識別されて、超国家的な国際共通リモートモビリティディレクトリ（ＩＲＭＤ）装置に対して送信される。この装置は、国番号と、国際共通リモートモビリティディレクトリ（ＩＲＭＤ）がそれと相互接続される国別の共通リモートモビリティディレクトリ（ＣＲＭＤ）基盤のアドレスとの間の組み合わせを含むテーブルに関連付けられるか、または該テーブルを統合する。国際共通リモートモビリティディレクトリ（ＩＲＭＤ）は、その場合に、検索された呼び出し番号のオペレータを決定するために、検索された呼び出し番号の国番号に対応する共通リモートモビリティディレクトリ（ＣＲＭＤ）に要求を送信する。共通リモートモビリティディレクトリ（ＣＲＭＤ）は、少なくとも１つの検索された呼び出し番号、及び外国のオペレータのピクトグラムと関連付けられ得る、または関連付けられないかもしれない、検索された呼び出し番号に対応するコード化された指示を含むメッセージによって、要求に応答する。この情報は、検索された外国の呼び出し番号に対応するサブアカウントが更新され得るように、識別サーバ４ｃに対して送信される。
【００５８】
独立して、もし呼び出し番号が外国の携帯端末に対応するならば、表示される呼び出し番号のオペレータのピクトグラムが、オペレータの国のピクトグラムと関連付けられ得るということが想定され得る。その国のピクトグラムは、その場合に、それに対して検索が要求された呼び出し番号との適合がその中で発見された国の共通リモートモビリティディレクトリ（ＣＲＭＤ）に特有のコードのユーザ端末１による受信と同時に活性化されることになる。
【００５９】
オペレータ識別要素と呼び出し番号との間の照合された組み合わせの更新は、ユーザ端末１のＳＩＭツールキットアプリケーションまたはソフトウェア２によって制御された更新要求の規則的な、パラメータ化された活性化によって、実行され得る。この更新は、更新要求を、通常の検索要求の送信と同様の方法で、管理プラットフォームに対して送信することによって、実行される。更新は、更に、端末アプリケーションまたはソフトウェアによって制御された端末の表示装置において照会窓を開くことによって、規則正しく促され得る。
【００６０】
更新方法の１つの変形によれば、仮のアカウント及び全てのサブアカウントは、管理プラットフォームのメモリ手段のメモリ内に保持される。共通リモートモビリティディレクトリ（ＣＲＭＤ）のデータベースの内の少なくとも１つにおいて呼び出し番号とそのオペレータ／インターネットアクセスプロバイダとの間の組み合わせが更新されるとき、その組み合わせが更新された呼び出し番号と関連付けられたサブアカウントのオペレータ識別要素は、その場合に、その中に（国別の、または国際的な）入力フォーマットにかかわりなく、オペレータ識別要素が存在する全てのサブアカウントにおいて、検索されて修正される。この目的のために、呼び出し番号をいくつかの、可能な、受け入れられるフォーマットに変換するテーブルが、検索を実行することができる同じ数だけの特徴のつながりの中で、サブアカウントにおける検索基準を定義するために使用される。
【００６１】
この修正は、呼び出し番号と関連付けられているメモリ手段内のサブアカウントのそれぞれにおいて実行される。ユーザの呼び出し番号を有する保持された仮のアカウントにおいて、サブアカウントの内の１つにおける識別要素の修正は、その呼び出し番号が仮のアカウントと関連付けられている端末に対する新しいオペレータの識別要素の伝送をもたらす。
【００６２】
当業者にとって、本発明が、特許請求の範囲にあるような本発明の出願の範囲からはずれずに多数の他の特定の形式における実施例を許容することは明白であろう。従って、本実施例は、添付された請求項の範囲によって定義された範囲の中で修正され得る実例と考えられるべきである。
【図面の簡単な説明】
【００６３】
【図１】本発明の結合システムの種々の装置を示す図である。
【図２】本発明の動作方法の変形の異なる段階を示す図である。
【符号の説明】
【００６４】
１    ユーザ端末
１ａ    ユーザ端末１に固有のメモリ
１ｂ    加入者識別モジュール（ＳＩＭ）カードメモリ
１ｃ    ユーザ端末１と接続された外部メモリ
２    加入者識別モジュール（ＳＩＭ）ツールキットアプリケーションまたはソフトウェア
３    ネットワーク
４    識別管理プラットフォーム
４ａ    識別サーバ
４ｂ    メモリ手段
４ｃ    共通リモートモビリティディレクトリ（ＣＲＭＤ）（データベース）
４ｃ１    少なくとも１つの検索手段を統合する装置
４ｄ    連続する要求を待機状態で配置するための手段
【図１】
2008306721.tif 000003
【図２】
2008306721.tif 000004
【外国語明細書】
2008306721.tif 000005
2008306721.tif 000006
2008306721.tif 000007
2008306721.tif 000008
2008306721.tif 000009
2008306721.tif 000010
2008306721.tif 000011
2008306721.tif 000012
2008306721.tif 000013
2008306721.tif 000014
2008306721.tif 000015
2008306721.tif 000016
2008306721.tif 000017
2008306721.tif 000018
2008306721.tif 000019
2008306721.tif 000020
2008306721.tif 000021
2008306721.tif 000022
2008306721.tif 000023
2008306721.tif 000024
2008306721.tif 000025
2008306721.tif 000026
2008306721.tif 000027
2008306721.tif 000028
2008306721.tif 000029
2008306721.tif 000030
2008306721.tif 000031
2008306721.tif 000032
2008306721.tif 000033
2008306721.tif 000034